(57)【要約】【課題】本発明が解決すべき課題は、肉球部の硬化を防ぎ健やかに保つ効果を有する肉球保護組成物を得ることを目的としている。また、べとつきがなく砂の付着や床に足跡がつかないといった特徴を有する。【解決手段】ラフィノースおよびキサンタンガムを配合することで得られた肉球保護組成物で上記課題が達成された。【選択図面】なし【特許請求の範囲】
【請求項１】
ラフィノースおよびキサンタンガムを配合することを特徴とする肉球保護組成物。
【請求項２】
ラフィノースを０．５〜１０．０重量％、キサンタンガムを０．０１〜０．５重量％配合することを特徴とする肉球保護組成物。
【発明の詳細な説明】
【０００１】
【産業上の利用分野】
本発明は、犬、猫などの愛玩動物において肉球部の日常手入れに関する発明である。より詳細には、日常環境および加齢によって硬化した肉球部を本発明により軟化させることで、肉球部の硬化を防ぎ健やかに保つことを目的とする。
【０００２】
【従来の技術】
一般的な愛玩動物である犬，猫などの飼育に関して、近年では室内での飼育が主流になりつつある。これは、以前では犬の飼育は庭で、猫の飼育は放し飼いにされていたものが、特に都市部での住宅事情により、庭の面積が犬の飼育に適するまで確保できない、近隣との関係が希薄になっているため猫の放し飼いが容認されないといった環境であるためと考えられる。そのため、住居を締め切ってその中で放し飼いといった場合や、通常はケージで飼育し必要なときだけ部屋に放つなど、飼育環境のほとんどが室内である場合も少なくない。
【０００３】
犬，猫などの足裏部の構造は，爪を有する指部と肉球と呼ばれる部分からなり、接地部のほとんどは肉球である。肉球表面は肥厚した角質層からなるため外部環境や加齢により硬化する。一般的な運動時のそれぞれの働きは、指部がしっかりと地面を保持することで確実に力を伝達し、肉球部がクッション的な役割を担い運動時の衝撃を吸収する。
【０００４】
ところが、加齢や外部環境によって硬化した肉球部では、充分な衝撃吸収効果を発揮しないことがある。そのため従来、肉球の保護をする方法としてワックスやクリームなどの油性基剤で保湿効果を付与する方法が一般的に行なわれているが、これらの方法では、長時間肉球部がべとつくため排便時に砂などが付着し部屋の中が砂だらけになるなどの問題点がある。また足跡がつくなど床の汚れの原因となり室内飼育には適していない。
【０００５】
【発明が解決しようとする課題】
そこで、本発明が解決すべき課題は、肉球部の硬化を防ぎ健やかに保つ効果を有する肉球保護組成物を得ることを目的としている。また、べとつきがなく砂の付着や床に足跡がつかないといった特徴を有する。
【０００６】
【問題を解決するための手段】本発明者らは、上記の状況に鑑み優れた肉球軟化効果のある肉球保護組成物を得るべく鋭意検討を行った結果、ラフィノースおよびキサンタンガムを配合することを特徴とする肉球保護組成物で目的とする効果が得られることを見出し、本発明を完成するに至った。
【０００７】
【発明の実施の形態】
以下、本発明の実施の形態について説明する。
ラフィノースおよびキサンタンガムを配合することで、本発明の肉球保護組成物は得られる。つまり本発明で使用するラフィノースは保湿効果を有するが吸湿性がないという稀有な特徴をもつ物質であるため、これを配合してもべとつきが生じないという効果を有する。また、多糖類の一種であるキサンタンガムを配合することで保湿効果が相乗的に向上するが、べとつきが生じないことを見出した。また、本発明品を継続的に使用することで特に成犬、成猫では固くなりひび割れがちな肉球が、柔らかくなめらかに保たれる。
【０００８】
本発明に使用されるラフィノースは、ビート（砂糖大根）から分離精製して得られるオリゴ糖であり、その他大豆やユーカリなどにも多く含まれている。基本的に水に可溶な結晶性の白色針状の粉体で結晶水を５分子含んでいる。また、耐熱性、耐酸性も良好でショ糖とほぼ同程度の安定性である。
化学構造は、Ｄ−ガラクトース、Ｄ−グルコース、Ｄ−フラクトース（Ｇａｌ−Ｇ−Ｆｒｕ）で構成された三糖類である。
極めて吸湿性が低く相対湿度９０％で６ヶ月保管しても吸湿しない。
【０００９】
ラフィノースの配合量は、全組成中に０．５〜１０．０重量％、特に１．０〜５．０重量％配合することで良好な保湿性が得られ、しかも吸湿性がないためべとつかず砂の付着や足跡がつくといったこともおこらない。且つ安全性、安定性の面でも好ましい。
【００１０】
本発明に使用されるキサンタンガムは、キサントモナス属菌（Ｘａｎｔｈｏｍｏｎａｓｃａｍｐｅｓｔｒｉｓ）をもちいて炭化水素を発酵させて、その菌体外に蓄積した多糖類を精製した天然のガム質である。組成は、Ｄ−グルコース、Ｄ−マンノース、Ｄ−グルクロン酸のナトリウム、カリウム、およびカルシウム塩からなる。分子量は、数百万から数千万と、他の一般の天然ガム質の分子量と比較すると非常に大きいため特徴的な粘度特性をもつ。また、医薬品、化粧品、化学合成品の原料として多用されており安全性も良好である。
【００１１】
キサンタンガムの配合量は、全組成中に０．０１〜０．５重量％、特に０．０５〜０．２重量％配合すると、良好な肉球保護効果および保湿効果が得られ、且つ安全性、安定性の面でも好ましい。
【００１２】
本発明の組成物に配合される成分として下記に示す。その配合に際しては、本発明の効果を損なわない量的、質的範囲内である。もちろんこれに限定されるものではない。増粘剤、界面活性剤、防腐剤、油性成分、酸化防止剤、薬剤、香料あるいは他の揮発性成分などを配合しても良い。但し、油性成分は、本発明の効果を高めるため可能な限り少量であるか、配合しないことが好ましいが、各種植物エキス、香料など含まれるような油性成分は本発明の効果を損なわせるものではない。
【００１３】
例えば、増粘剤としては、カルボキシビニルポリマー、ポリアクリル酸ナトリウム、ポリアクリル酸アミドなどのアクリル酸系高分子、ヒドロキシエチルセルロース、アルギン酸、寒天などの多糖類、ベントナイト、ヘクトライト、無水ケイ酸などの無機系増粘剤など一般に汎用される増粘剤が用いられる。界面活性剤としては、ポリオキシエチレンアルキルエーテル、ポリオキシエチレン脂肪酸エステル、ポリオキシエチレンソルビタン脂肪酸エステル、ソルビタン脂肪酸エステル、グリセリン脂肪酸エステル、ポリグリセリン脂肪酸エステル、ポリオキシエチレングリセリン脂肪酸エステル、ポリオキシエチレン硬化ヒマシ油、アルキルエーテル変性シリコーンなどの非イオン界面活性剤が用いられる。防腐剤としては、パラオキシ安息香酸エステル、安息香酸ナトリウムなどの汎用される防腐剤が用いられ、酸化防止剤としては，トコフェロール、ジブチルヒドロキシトルエン、ブチルヒドロキシアニソ−ルなどの汎用される酸化防止剤が用いられる。薬剤としては、ビタミンＣ類、ビタミンＥ類などのビタミン類、イオウ、各種アミノ酸、生薬、消炎剤、殺菌剤などの汎用される薬剤が用いられる。
【００１４】
以下に実施例を示して本発明について具体的に説明するが、これによって本発明の技術的範囲が限定的に解釈されるべきものではない。なお、以下の表に示す組成物の配合量は総て重量％で示す。
【００１５】
【実施例】
実施例１（１）ラフィノース　３．０％（２）キサンタンガム　０．０５％（３）エタノール　１０．０％（４）精製水　８６．６５％（６）パラベン　０．３％
【００１６】
比較例１（１）グリセリン　５．０％（２）エタノール　１０．０％（３）精製水８４．７％（４）パラベン　０．３％
【００１７】
比較例２（１）ラフィノース　３．０％（２）エタノール　１０．０％（３）精製水　８６．７％（４）パラベン　０．３％
【００１８】
比較例３（１）キサンタンガム　０．０５％（２）エタノール　１０．０％（３）精製水　８９．６５％（４）パラベン　０．３％
【００１９】
比較例４　１）グルコース　３．０％（２）エタノール　１０．０％（３）精製水　８６．６５％（４）パラベン　０．３％
【００２０】
保湿効果の試験を行った。
室内飼育されている生後３年の猫（アメリカンショートヘア）と生後３年の犬（チワワ）の肉球部に一カ所につき約０．１ｇを塗布し、時間毎に肉球部の水分を測定した。
Ｉ．Ｂ．Ｓ．ジャパン社製　ＳＫＩＫＯＮ−２００
塗布１０分後に砂場に放ち、肉球部への砂の付着状況をみた。
また、実際に肉球部に触りべとつきを評価した。
砂の付着に関して、ほとんど付着していない場合（５粒以下）を○、多少付着している（１０粒程度）場合を△、全面に付着しているものを×とした。
べとつきに関して、べとつきを感じないものを○、若干感じるものを△、べとつきを明らかに感じるものを×とした。
【００２１】
【表１】
2004026682.tif 000002
【００２２】
以上より、保湿効果は、実施例で高い効果が長時間維持された。また、べとつきも少なく砂の付着も見られなかった。実際に肉球部に触れてみると実施例では肉球が柔らかく保たれており、比較例についてはどれも固く感じられた。特に比較例１については、乾燥が遅く塗布直後では、フローリング床上に足跡が残った。
【００２３】
＜処方例１＞ジェル（１）精製水　８７．３％（２）ラフィノース
２．０％（３）キサンタンガム　０．１％（４）カルボキシビニルポリマー　０．２％（５）エタノール　１０．０％（６）パラベン　０．３％（７）トリエタノールアミン　０．１％
（製法）（１）〜（４）を混合溶解する。あらかじめ溶解しておいた（５）、（６）を加え混合溶解する。（７）を加えて中和する。
【００２４】
＜処方例２＞賦香ジェル（１）精製水　８３．１４％（２）ラフィノース
３．０％（３）キサンタンガム　０．０３％（４）香料　０．０３％（５）モノラウリン酸ポリオキシエチレンソルビタン　０．５％（６）エタノール　１０．０％（７）パラベン
０．３％（８）ポリアクリル酸アミド混合物　３．０％
（製法）（１）〜（３）を混合溶解する。あらかじめ溶解しておいた（４）、（５）を加え混合溶解する。あらかじめ溶解しておいた（６）、（７）を加え混合溶解する。（８）を加え均一になるまで混合する。
【００２５】
【発明の効果】
本発明は、ラフィノースおよびキサンタンガムを配合することで、本発明の肉球保護組成物は得られる。得られた肉球保護組成物は、肉球部の日常手入れに良好な組成物であり、日常環境および加齢によって硬化した肉球部に塗布することで、肉球部の硬化を防ぎ健やかに保つため、継続的に使用することで特に成犬、成猫では固くなりひび割れがちな肉球が、柔らかくなめらかに保たれる。また、べとつきが無く砂の付着がないため、室内の汚れの原因とならない。